(57)【特許請求の範囲】
【請求項１】
照合印影と、２以上の印影を含み前記照合印影と照合される被照合印影を取得する印影取得部と、
前記被照合印影に含まれる１の印影を抽出印影として抽出する印影抽出部と、
前記抽出印影と前記照合印影について印影の領域サイズの差が所定閾値以上であるかを判定し、
前記抽出印影の領域が前記被照合印影からのはみ出しにより欠けているかを判定する判定部と、
前記領域サイズの差が前記所定閾値以上であり、または前記抽出印影の領域が前記被照合印影からのはみ出しにより欠けている場合に、前記被照合印影から前記抽出印影を除去し、照合用の印影を再抽出する印影再抽出部と
を備える印鑑照合装置。
【請求項２】
照合印影と、２以上の印影を含み前記照合印影と照合される被照合印影を取得する印影取得部と、
前記被照合印影に含まれる１の印影を抽出印影として抽出する印影抽出部と、
前記抽出印影の領域が前記被照合印影からのはみ出しにより欠けているかを判定する判定部と、
前記抽出印影の領域が前記被照合印影からのはみ出しにより欠けている場合に、前記被照合印影から前記抽出印影を除去し、照合用の印影を再抽出する印影再抽出部と
を備える印鑑照合装置。
【請求項３】
前記判定部は、前記抽出印影の領域が被照合印影の縁に接している場合、前記抽出印影の領域が被照合印影からはみ出していると判定する、請求項１または２に記載の印鑑照合装置。
【請求項４】
前記判定部は、前記抽出印影の中心座標が被照合印影の中心座標から所定の閾値以上で離れている場合、前記抽出印影の領域が被照合印影からはみ出していると判定する、請求項１または２に記載の印鑑照合装置。
【請求項５】
前記判定部は、前記抽出印影の中心座標が被照合印影の端部座標からの距離が所定の閾値以下である場合、前記抽出印影の領域が被照合印影からはみ出していると判定する、請求項１または２に記載の印鑑照合装置。
【請求項６】
照合印影と、２以上の印影を含み前記照合印影と照合される被照合印影を取得するステップと、
前記被照合印影に含まれる１の印影を抽出印影として抽出するステップと、
前記抽出印影と前記照合印影について印影の領域サイズの差が所定閾値以上であるかを判定するステップと、
前記抽出印影の領域が前記被照合印影からのはみ出しにより欠けているかを判定するステップと、
前記領域サイズの差が所定閾値以上であり、または前記抽出印影の領域が前記被照合印影からのはみ出しにより欠けている場合に、前記被照合印影から前記抽出印影を除去し、照合用の印影を再抽出するステップと
を含む印鑑照合方法。
【請求項７】
照合印影と、２以上の印影を含み前記照合印影と照合される被照合印影を取得するステップと、
前記被照合印影に含まれる１の印影を抽出印影として抽出するステップと、
前記抽出印影と前記照合印影について印影の領域サイズの差が所定閾値以上であるかを判定するステップと、
前記抽出印影の領域が前記被照合印影からのはみ出しにより欠けているかを判定するステップと、
前記領域サイズの差が所定閾値以上であり、または前記抽出印影の領域が前記被照合印影からのはみ出しにより欠けている場合に、前記被照合印影から前記抽出印影を除去し、照合用の印影を再抽出するステップと
を含む印鑑照合方法をコンピュータに実行させるためのプログラム。
【発明の詳細な説明】
【技術分野】
【０００１】
本発明は、印鑑照合装置、印鑑照合システム、印鑑照合方法およびプログラムに関する。
【背景技術】
【０００２】
金融機関等では、顧客の登録印の印影を含む印影画像（登録印影）と取引印の印影を含む印影画像（取引印影）を用いて、オペレータにより印鑑照合が行われる。印鑑照合では、登録帳票等から読取られた登録印影と、取引時に顧客が提出する利用帳票等から読取られた取引印影から、照合用の印影が各々に抽出される。
【０００３】
ここで、登録帳票上の捺印欄に複数の登録印や印枠の欠けた登録印が捺印されていると、登録印影から照合用の印影を抽出できず、オペレータの目視確認により照合作業が行われることになる。
【０００４】
同様に、取引帳票上の捺印欄に複数の取引印や印枠の欠けた取引印が捺印されていると、取引印影から照合用の印影を抽出できず、オペレータの目視確認により照合作業が行われたり、取引帳票の再提出が顧客に依頼されたりすることになる。
【０００５】
このため、登録印影または取引印影の品質が悪い場合には、照合手続きが煩雑となり、照合時間が長くなり、ひいては顧客サービスの品質が低下してしまう。
【０００６】
このため、下記特許文献１には、捺印を登録印影と照合する方法において、特に伝票等から印影を読取る時に、捺印欄や汚れを消去し印影のみを検出する印影検出方法が開示されている。
【先行技術文献】
【特許文献】
【０００７】
【特許文献１】特開昭６３−２５９７７５号公報
【発明の概要】
【発明が解決しようとする課題】
【０００８】
しかし、上記印影検出方法では、ディスプレイに表示された捺印上で、オペレータが照合用の印影を指示する必要があるので、印影を迅速かつ容易に抽出することができない。
【０００９】
そこで、本発明は、照合用の印影を迅速かつ容易に抽出可能な、印鑑照合装置、印鑑照合システム、印鑑照合方法およびプログラムを提供しようとするものである。
【課題を解決するための手段】
【００１０】
本発明のある観点によれば、照合印影と、２以上の印影を含み照合印影と照合される被照合印影を取得する印影取得部と、被照合印影に含まれる１の印影を抽出印影として抽出する印影抽出部と、抽出印影と照合印影について印影の領域サイズの差が所定閾値以上であるかを判定し、抽出印影の領域が被照合印影からのはみ出しにより欠けているかを判定する判定部と、領域サイズの差が所定閾値以上であり、または抽出印影の領域が被照合印影からのはみ出しにより欠けている場合に、被照合印影から抽出印影を除去し、照合用の印影を再抽出する印影再抽出部とを備える印鑑照合装置が提供される。
【００１１】
かかる構成によれば、２以上の印影を含む被照合印影から１の印影が抽出印影として抽出される。そして、抽出印影と照合印影の領域サイズの差が所定閾値以上であり、または、抽出印影の領域が被照合印影からのはみ出しにより欠けている場合に、被照合印影から抽出印影が除去され、照合用の印影が再抽出される。これにより、照合用の印影を指示しなくても、抽出印影の領域サイズや形状に基づき、照合に不適切な印影が除去されるので、照合用の印影を迅速かつ容易に抽出することができる。
【００１３】
また、本発明の別の観点によれば、照合印影と、２以上の印影を含み照合印影と照合される被照合印影を取得する印影取得部と、被照合印影に含まれる１の印影を抽出印影として抽出する印影抽出部と、抽出印影の領域が被照合印影からのはみ出しにより欠けているかを判定する判定部と、抽出印影の領域が被照合印影からのはみ出しにより欠けている場合に、被照合印影から抽出印影を除去し、照合用の印影を再抽出する印影再抽出部とを備える印鑑照合装置が提供される。
【００１４】
また、前述したいずれの印鑑照合装置でも、判定部は、抽出印影の領域が被照合印影の縁に接している場合、抽出印影の領域が被照合印影からはみ出していると判定してもよく、または、抽出印影の中心座標が被照合印影の中心座標から所定の閾値以上で離れている場合、抽出印影の領域が被照合印影からはみ出していると判定してもよく、または、判定部は、抽出印影の中心座標が被照合印影の端部座標からの距離が所定の閾値以下である場合、抽出印影の領域が被照合印影からはみ出していると判定してもよい。
【００１６】
また、本発明の別の観点によれば、照合印影と、２以上の印影を含み照合印影と照合される被照合印影を取得するステップと、被照合印影に含まれる１の印影を抽出印影として抽出するステップと、抽出印影と照合印影について印影の領域サイズの差が所定閾値以上であるかを判定するステップと、抽出印影の領域が被照合印影からのはみ出しにより欠けているかを判定するステップと、領域サイズの差が所定閾値以上であり、または抽出印影の領域が被照合印影からのはみ出しにより欠けている場合に、被照合印影から抽出印影を除去し、照合用の印影を再抽出するステップとを含む印鑑照合方法が提供される。
【００１７】
また、本発明の別の観点によれば、上記印鑑照合方法をコンピュータに実行させるためのプログラムが提供される。ここで、プログラムは、コンピュータ読取り可能な記録媒体を用いて提供されてもよく、通信手段を介して提供されてもよい。
【発明の効果】
【００１８】
以上説明したように本発明によれば、照合用の印影を迅速かつ容易に抽出可能な、印鑑照合装置、印鑑照合システム、印鑑照合方法およびプログラムを提供することができる。
【図面の簡単な説明】
【００１９】
【図１】本発明の実施形態に係る印鑑照合装置を適用した金融システムの構成を示す図である。
【図２】印鑑照合装置の主要な機能構成を示すブロック図である。
【図３】図２に示した印鑑照合装置の動作を示すフロー図である。
【図４Ａ】図２に示した印鑑照合装置の動作を示す説明図（１／２）である。
【図４Ｂ】図２に示した印鑑照合装置の動作を示す説明図（２／２）である。
【図５】従来の印鑑照合方法を示すフロー図である。
【図６Ａ】図５に示した印鑑照合方法を示す説明図（１／３）である。
【図６Ｂ】図５に示した印鑑照合方法を示す説明図（２／３）である。
【図６Ｃ】図５に示した印鑑照合方法を示す説明図（２／３）である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
以下では、図５、図６Ａ〜６Ｃを参照して、従来の印鑑照合方法について説明した後に、図１〜図４Ａ、４Ｂを参照して、本発明の実施形態に係る印鑑照合装置５０について説明する。なお、以下では、印鑑照合装置５０を金融システムに適用した場合について説明するが、印鑑照合装置５０は、他のシステムに適用されてもよく、システムに適用されずに単独で利用されてもよい。
【００２２】
［１．従来の印鑑照合方法］
図５には、従来の印鑑照合方法の手順が示されている。図５に示すように、取引に際して顧客が取引帳票を金融機関の窓口に持参すると、オペレータＯは、オペレータ端末に接続されているスキャナに取引帳票をセットする。
【００２３】
オペレータ端末は、取引帳票の認識処理を行い、取引帳票の捺印欄Ｗ１に捺印された取引印の印影を含む印影画像Ｓ１（取引印影Ｓ１）を取得する（ステップＳ１）。また、オペレータ端末は、取引帳票の顧客情報記載欄に記載された口座情報を取得し、口座情報に基づき印鑑サーバ１５から登録印の印影を含む印影画像Ｓ２（登録印影Ｓ２）を取得する（Ｓ２）。
【００２４】
そして、オペレータ端末は、取引印影Ｓ１および登録印影Ｓ２から照合用の印影の画像（照合用の印影）を各々に抽出し（Ｓ３）、ディスプレイまたはプリンタに照合用情報として出力する。オペレータＯは、照合用情報を用いて印影を照合し（Ｓ４）、照合結果をオペレータ端末に入力する。
【００２５】
図６Ａに示すように、取引帳票の捺印欄Ｗ１には取引印Ｓ１が捺印され、登録帳票の捺印欄Ｗ２には取引印Ｓ１と同じ登録印Ｓ２が捺印されている。通常、登録帳票の捺印欄Ｗ２には、捺印欄Ｗ２からはみ出さずに１つの印影Ｓ２が捺印されている。この場合、照合用の印影を適切に抽出することができる。
【００２６】
一方、登録帳票の捺印欄Ｗ２に２以上の登録印Ｓ２、Ｓ２´、…（または登録印Ｓ２とともに１以上の未登録印）が捺印され、または捺印欄Ｗ２からはみ出して登録印Ｓ２が捺印されている等、登録印影Ｓ２の品質が悪い場合には、照合用の印影を適切に抽出することが困難となる。
【００２７】
ここで、登録印とは、実際に登録されるべき、顧客が口座取引等に利用する印鑑としての印影を意味し、未登録印とは、本来登録されるべきではない、金融機関の係員の検印等が写りこんでいる印影を意味している。
【００２８】
図６Ｂ、６Ｃには、登録印影Ｓ２の品質が悪い場合の例が示されている。登録帳票の捺印欄Ｗ２に、未登録印Ｓ２ａと登録印Ｓ２ｂが捺印されている場合、または捺印欄Ｗ２からはみ出した登録印Ｓ２ｃと、はみ出していない登録印Ｓ２ｄが捺印されている場合には、照合用の印影を抽出することができない。または、それぞれ複数の印影として抽出されてしまい、照合することができない。
【００２９】
また、捺印欄Ｗ２からはみ出していない登録印Ｓ２ｅと、はみ出した登録印Ｓ２ｆが捺印されている場合、はみ出した登録印Ｓ２ｇと、はみ出していない登録印Ｓ２ｈが多少重なって捺印されている場合にも、照合用の印影を抽出することができない。または、それぞれ複数の印影として抽出されてしまい、照合することができない。
【００３０】
また、図６Ｂでは、未登録印Ｓ２ａが捺印欄Ｗ２に納まるように捺印されている。しかし、未登録印Ｓ２ａは、捺印欄Ｗ２の欄外に捺印されることが多いので、登録印Ｓ２ｂの印影を含む画像に一部が含まれている場合（一部が登録印影Ｓ２ｂの印影を含む画像の縁に触れて欠けている場合）もある。
【００３１】
また、このような、未登録印Ｓ２ａと登録印Ｓ２ｂの双方が捺印されて写りこんでいる場合において、未登録印Ｓ２ａの方が鮮明で、登録印Ｓ２ｂの方が不鮮明であるような場合もあり、そのような場合も照合用の印影を正しく抽出することが困難となる。
【００３２】
このような場合、オペレータＯの目視確認により照合作業が行われることになる。同様に、取引印影Ｓ１の品質が悪い場合も、照合用の印影を適切に抽出することができず、オペレータＯの目視確認により照合作業が行われることになる。
【００３３】
［２．本発明の実施形態に係る印鑑照合装置５０の構成］
図１には、本発明の実施形態に係る印鑑照合装置５０を適用した金融システムの構成が示されている。図１に示す例では、金融システムは、金融機関等の管理センタ１および複数の営業店舗２に設置されている。なお、図１には、１つの営業店舗２のみが示されている。
【００３４】
管理センタ１には、勘定サーバ１１、認証サーバ１２、ＡＰサーバ１３、ＤＢサーバ１４、および印鑑サーバ１５がＬＡＮ１６を通じて接続されて設置されている。営業店舗２には、オペレータ端末２１、管理者端末２２、プリンタ２３、および店舗サーバ２４がＬＡＮ２５を通じて接続されて設置されている。管理センタ１のシステムと営業店舗２のシステムは、ＬＡＮ１６、２５、および専用ネットワークＮＷを通じて、互いに接続されている。
【００３５】
勘定サーバ１１は、業務アプリケーションを実行し、顧客データを管理する。認証サーバ１２は、複数の営業店舗２に勤務するオペレータＯの認証情報を管理し、システム上で認証管理を行う。ＡＰサーバ１３は、ログイン管理等、システム上で発生する個別業務を処理する。ＤＢサーバ１４は、システム上で発生する個別業務のデータをデータベース（ＤＢ）１４ａに格納する。印鑑サーバ１５は、顧客の登録印の印影Ｓ２（登録印影Ｓ２）を、顧客の口座情報に関連付けて管理する。
【００３６】
オペレータ端末２１は、スキャナ２１ａを接続されており、オペレータＯによる操作を通じて、帳票入力、記帳・入出金等を処理する。オペレータ端末２１は、印鑑照合装置５０として機能する。管理者端末２２は、管理者による操作を通じて、オペレータ端末２１からの承認依頼等を処理する。プリンタ２３は、照合用情報等を出力する。店舗サーバ２４は、システム上で発生する個別業務のデータを管理する。
【００３７】
図２には、印鑑照合装置５０の機能構成が示されている。図２に示すように、印鑑照合装置５０は、照合印影取得部５１、被照合印影取得部５２、照合印影前処理部５３、被照合印影前処理部５４、印影抽出部５５、抽出印影処理部５６、印影除去部５７、印影再抽出部５８、および照合処理部５９を含んで構成される。
【００３８】
照合印影取得部５１は、１つの印影からなる照合印影を取得する。被照合印影取得部５２は、２以上の印影を含み照合印影と照合される被照合印影を取得する。ここで、照合印影と被照合印影は、各々に、取引印影Ｓ１と登録印影Ｓ２でもよく、登録印影Ｓ２と取引印影Ｓ１でもよい。以下では、登録印影Ｓ２に複数の印影が含まれている場合について説明する。この場合、照合印影が取引印影Ｓ１となり、被照合印影が登録印影Ｓ２となる。
【００３９】
取引印影Ｓ１は、例えば取引帳票の捺印欄Ｗ１に捺印された取引印Ｓ１の印影として、スキャナ２１ａ等により読取られて取得される。登録印影Ｓ２は、例えば登録帳票の捺印欄Ｗ２に捺印された登録印Ｓ２の印影として、印鑑サーバ１５から取得される。
【００４０】
照合印影前処理部５３は、照合印影の画像中に含まれる印影を抽出し、印影の領域サイズを算出する。なお、照合印影における印影の抽出および領域サイズの算出は、後述する被照合印影の場合と同様に行われる。被照合印影前処理部５４は、被照合印影の画像中に含まれる２以上の印影の数を検出する。
【００４１】
印影抽出部５５は、被照合印影に含まれる１の印影の画像を抽出印影として抽出する。ここで、抽出印影は、印影の印枠（印鑑の丸枠、角枠等）および印枠内の印影として抽出される。抽出印影は、例えば、被照合印影の画素パターン上で印枠を検出し、印枠および印枠内の画素パターンとして抽出される。なお、印枠が少し欠けている場合には、印枠の欠けている部分を補って印影が抽出されてもよい。
【００４２】
抽出印影処理部５６は、抽出印影の領域サイズを算出し、抽出印影と照合印影について領域サイズの差が所定閾値未満であるかを判定する。ここで、抽出印影の領域は、抽出印影の印枠および印枠内の領域として規定される。領域サイズは、例えば、抽出印影の画素パターン上で、印枠および印枠内の画素数を計数することで算出される。また、各印影の照合印影または被照合印影の画像中における相対位置（座標）も算出される。
【００４３】
また、抽出印影処理部５６は、抽出印影の領域が欠けているかを判定する。ここで、領域の欠けは、例えば、抽出領域の画素パターン上で、印枠の連続性を確認することで確認される。なお、印枠が少し欠けている場合には、印枠の欠けている部分が補われてもよい。
【００４４】
この場合、領域の欠けは、想定される印枠全体に占める非連続部の割合に基づき判定される。また、領域の欠けは、印影画像に対する抽出印影の相対座標を参照し、抽出印影の領域の一辺または２辺が印影画像の縁に接していることにより判定されてもよい。また、領域の欠けは、抽出印影の中心座標が、印影画像の中心座標から所定の閾値以上で離れているか、印影画像の端部座標からの距離が所定の閾値以下であることにより判定されてもよい。ここで、上記判定条件は、ＯＲ条件としてもＡＮＤ条件としてもよい。
【００４５】
印影除去部５７は、領域サイズの差が所定閾値以上であり、または抽出印影の領域が欠けている場合に、被照合印影から抽出印影を除去する。ここで、抽出印影の除去は、例えば、被照合印影の画素パターンから抽出印影の画素パターンを除去することで行われる。また、抽出印影の除去は、抽出印影の画素パターンを背景色の画素で塗りつぶすことで行われてもよい。
【００４６】
印影再抽出部５８は、被照合印影から抽出印影が除去され、１の印影のみが残された場合に、残された印影を照合用の印影として再抽出する。
【００４７】
照合処理部５９は、照合印影および被照合印影について、これら照合用の印影を照合用情報として、不図示のディスプレイ、プリンタ２３等に出力する。また、照合処理部５９は、照合用情報に基づくオペレータＯによる照合作業の結果に応じて、印鑑照合の結果を記帳・入出金等の処理のために提供する。
【００４８】
なお、上記構成のうち少なくとも一部については、印鑑照合装置５０上で動作するソフトウェア（プログラム）により実現されてもよく、ハードウェアにより実現されてもよい。また、ソフトウェアにより実現される場合には、プログラムが印鑑照合装置５０上に予め格納されてもよく、外部から供給されてもよい。
【００４９】
［３．本発明の実施形態に係る印鑑照合装置５０の動作］
図３には、図２に示した印鑑照合装置５０の動作手順が示されている。なお、以下では、従来の照合処理により、取引印影Ｓ１から照合用の印影を抽出できるが、登録印影Ｓ２から照合用の印影を抽出できない場合について説明する。しかし、本発明は、従来の照合処理により、登録印影Ｓ２から照合用の印影を抽出できるが、取引印影Ｓ１から照合用の印影を抽出できない場合にも同様に適用することができる。なお、以下の動作は、前述したオペレータ端末２１に備わる各構成により実行される。
【００５０】
図３に示すように、取引に際して顧客が取引帳票を営業店舗２の窓口に持参すると、オペレータＯは、オペレータ端末２１に接続されているスキャナ２１ａに取引帳票をセットする。
【００５１】
オペレータ端末２１は、取引帳票の認識処理を行い、取引帳票の捺印欄Ｗ１から取引印影Ｓ１を取得する（ステップＳ１１）。また、オペレータ端末２１は、取引帳票の顧客情報記載欄に記載された口座情報を取得し、口座情報に基づき印鑑サーバ１５から登録印影Ｓ２を取得する（Ｓ１２）。なお、登録印影Ｓ２を取得する前に、オペレータＯによる口座情報の確認処理が行われてもよい。
【００５２】
オペレータ端末２１は、登録印影Ｓ２に含まれている印影の数を検出し（Ｓ１３）、印影数が２以上であるかを判定する（Ｓ１４）。ここで、印影の数は、印影数情報として保持される。そして、印影数が１である場合に、オペレータ端末２１は、ステップＳ１５およびＳ２５の処理に移行し、通常の照合処理を行う。
【００５３】
通常の照合処理において、オペレータ端末２１は、取引印影Ｓ１および登録印影Ｓ２から照合用の印影を各々に抽出し、ディスプレイまたはプリンタ２３に照合用情報として出力する。オペレータＯは、照合用情報を用いて印影を照合し、照合結果をオペレータ端末２１に入力する。
【００５４】
一方、印影数が２以上である場合に、オペレータ端末２１は、取引印影Ｓ１の領域サイズや相対座標を算出する（Ｓ１６）。また、オペレータ端末２１は、登録印影Ｓ２から１の印影を抽出印影として抽出する（Ｓ１７）。
【００５５】
次に、オペレータ端末２１は、抽出印影の領域サイズや相対座標を算出する（Ｓ１８）。そして、オペレータ端末２１は、抽出印影と取引印影Ｓ１の間で、領域サイズの差が所定の閾値未満であるかを判定する（Ｓ１９）。なお、所定の閾値は、例えば取引印影Ｓ１の領域サイズの５％として設定されるが、他の基準により設定されてもよい。
【００５６】
オペレータ端末２１は、領域サイズの差が閾値未満である場合に、後続するステップＳ２０の処理を行い、閾値以上である場合に、ステップＳ２１の処理に移行する。
【００５７】
領域サイズの差が閾値未満である場合に、オペレータ端末２１は、抽出印影の領域が欠けているかを判定する（Ｓ２０）。オペレータ端末２１は、領域が欠けている場合に、後続するステップＳ２１の処理を行い、欠けていない場合に、抽出印影を照合用の印影として照合処理を行う（Ｓ２５）。なお、オペレータ端末２１は、印枠全体に占める非連続部分の割合が所定の閾値以上（例えば５％以上）であるかを判定してもよい。
【００５８】
領域サイズの差が閾値以上であり、または領域が欠けている場合、オペレータ端末２１は、登録印影Ｓ２から抽出印影の部分を除去し（Ｓ２１）、印影数情報を減算する（Ｓ２２）。そして、印影数が１であるか、つまり、登録印影Ｓ２として１の印影のみが残されているかを判定する（Ｓ２３）。
【００５９】
そして、印影数が１である場合に、オペレータ端末２１は、残されている印影を再抽出し（Ｓ２４）、照合用の印影として照合処理を行う（Ｓ２５）。一方、印影数が２以上である場合に、オペレータ端末２１は、ステップＳ１７の処理に復帰し、抽出印影を除去された登録印影Ｓ２から別の印影を抽出印影として抽出する。そして、オペレータ端末２１は、別の印影を抽出印影として、ステップＳ１８〜Ｓ２２の処理を行う。
【００６０】
図４Ａ、４Ｂには、照合用の印影の抽出例が示されている。図中、破線は、除去された抽出印影を示し、ハッチング領域は、照合用の印影を示している。第１に、登録帳票の捺印欄Ｗ２に、未登録印Ｓ２ａと登録印Ｓ２ｂが捺印され、未登録印Ｓ２ａと取引印Ｓ１の領域サイズの差が閾値以上である例が示されている。この例では、未登録印の印影Ｓ２ａが先に抽出された場合、図示するように、抽出印影Ｓ２ａが除去され、登録印の印影Ｓ２ｂが照合用の印影として再抽出される。一方、登録印の印影Ｓ２ｂが先に抽出された場合、図示されていないが、照合用の印影として抽出されることになる。
【００６１】
第２に、登録帳票の捺印欄Ｗ２に、捺印欄Ｗ２からはみ出した登録印Ｓ２ｃと、はみ出していない登録印Ｓ２ｄが捺印されている例が示されている。この例では、登録印の印影Ｓ２ｃが先に抽出された場合、図示するように、抽出印影Ｓ２ｃは、サイズが小さい、または印影が欠けていると判断されて除去され、登録印の印影Ｓ２ｄが照合用の印影として再抽出される。一方、登録印の印影Ｓ２ｄが先に抽出された場合、図示されていないが、照合用の印影として抽出されることになる。
【００６２】
第３に、登録帳票の捺印欄Ｗ２に、捺印欄Ｗ２からはみ出していない登録印Ｓ２ｅと、はみ出した登録印Ｓ２ｆが捺印されている例が示されている。この例では、登録印の印影Ｓ２ｅが先に抽出された場合、図示するように、照合用の印影として抽出されることになる。一方、登録印の印影Ｓ２ｆが先に抽出された場合、図示されていないが、抽出印影Ｓ２ｆは、サイズが小さい、または印影が欠けていると判断されて除去され、登録印の印影Ｓ２ｅが照合用の印影として再抽出される。
【００６３】
第４に、登録帳票の捺印欄Ｗ２に、はみ出した登録印Ｓ２ｇと、はみ出していない登録印Ｓ２ｈが多少重なって捺印されている例が示されている。この例では、登録印の印影Ｓ２ｇが先に抽出された場合、図示するように、抽出印影Ｓ２ｇは、サイズが小さい、または印影が欠けていると判断されて除去され、登録印の印影Ｓ２ｈが照合用の印影として再抽出される。ここで、登録印Ｓ２ｈの領域に登録印Ｓ２ｇの印枠が重なっているが、印枠の外側の部分のみを除去することで、登録印の印影Ｓ２ｈを照合用の印影として適切に再抽出することができる。
【００６４】
一方、登録印の印影Ｓ２ｈが先に抽出された場合、図示されていないが、照合用の印影として抽出されることになる。ここで、登録印Ｓ２ｈの領域に登録印Ｓ２ｇの印枠が重なっているので、登録印の印影Ｓ２ｇが先に抽出されるように、抽出処理を再実行するようにしてもよい。
【００６５】
また、図４Ａ、４Ｂには示していないが、前述したように、未登録印Ｓ２ａと登録印Ｓ２ｂの双方が捺印されて写りこんでいる場合において、未登録印Ｓ２ａの方が鮮明で、登録印Ｓ２ｂの方が不鮮明であるような場合も、未登録印Ｓ２ａのサイズが異なると判断され、または印影が欠けていると判断されて、登録印Ｓ２ｂを適切に抽出することができる。これにより、例えば鮮明な印影を先に抽出するような処理方式でも、先に抽出された未登録印Ｓ２ａを除外し、登録印Ｓ２ｂを適切に抽出することができる。
【００６６】
［４．まとめ］
上記実施形態に係る印鑑照合装置５０によれば、２以上の印影を含む登録印影Ｓ２から１の印影が抽出印影として抽出される。そして、抽出印影と取引印影Ｓ１の領域サイズの差が所定閾値以上であり、または、抽出印影の領域が欠けている場合に、登録印影Ｓ２から抽出印影が除去され、照合用の印影が再抽出される。これにより、照合用の印影を指示しなくても、抽出印影の領域サイズや形状に基づき、照合に不適切な印影が除去されるので、照合用の印影を迅速かつ容易に抽出することができる。
【００６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６８】
例えば、上記実施形態では、取引印影Ｓ１が照合印影であり、登録印影Ｓ２が被照合印影である場合について説明した。しかし、本発明は、登録印影Ｓ２が照合印影であり、取引印影Ｓ１が被照合印影である場合についても同様に適用することができる。
【符号の説明】
【００６９】
２１    オペレータ端末
５０    印鑑照合装置
５１    照合印影取得部
５２    被照合印影取得部
５３    照合印影前処理部
５４    被照合印影前処理部
５５    印影抽出部
５６    抽出印影処理部
５７    印影除去部
５８    印影再抽出部
５９    照合処理部
Ｓ１    取引印（取引印の印影）
Ｓ２    登録印（登録印の印影）
Ｗ１    取引印の捺印欄
Ｗ２    登録印の捺印欄
Ｏ    オペレータ
【図１】
0005593742.tif 000002
【図２】
0005593742.tif 000003
【図３】
0005593742.tif 000004
【図４Ａ】
0005593742.tif 000005
【図４Ｂ】
0005593742.tif 000006
【図５】
0005593742.tif 000007
【図６Ａ】
0005593742.tif 000008
【図６Ｂ】
0005593742.tif 000009
【図６Ｃ】
0005593742.tif 000010